(57)【要約】【課題】着用者の足をレッグ開口に容易に通すことができ、着用に手間取ることがないパンツ型の使い捨て着用物品を提供する。【解決手段】物品２０Ａは、パンツ２１とアウターシート２２とから構成されている。物品２０Ａでは、パンツ２１のレッグ開口２７が前後胴周り域２３，２５の両側に開口する上方開口３０と股下域２４の両側に開口する下方開口３１とから形成され、パンツ２１の脚周り周縁部２９が前後胴周り域２３，２５に延びる胴周り部分３４と股下域２４に延びる股下部分３５とから形成されている。物品２０Ａは、パンツ２１の脚周り周縁部２９に弾性部材３６が取り付けられ、アウターシート２２の上下縁部３９，４１と中間部４０とに弾性部材４４，４５，４６が取り付けられ、アウターシート２２の上縁部３９がパンツ２１の胴周り周縁部２８に固着され、アウターシート２２の中間部４０と下縁部４１とがパンツ２２の前後胴周り域２３，２５の胴周り方向中央部４２に固着されている。【選択図】図１
2005204744.tif 000002
【特許請求の範囲】
【請求項１】
互いに対向する前後胴周り域およびそれら胴周り域の間に位置する股下域を有するとともにウエスト開口および一対のレッグ開口を有するパンツと、前記パンツの前後胴周り域の外側に位置して胴周り方向へ環を画く帯状のアウターシートとから構成され、前記パンツが、前記ウエスト開口を囲繞して胴周り方向へ延びる胴周り周縁部と、前記レッグ開口を囲繞して縦方向へ延びる脚周り周縁部とを有し、前記アウターシートが、前記パンツの胴周り周縁部に並行して胴周り方向へ延びる上縁部と、前記パンツの股下域の側に位置して胴周り方向へ延びる下縁部と、前記上下縁部間に位置して胴周り方向へ延びる中間部とを有するパンツ型の使い捨て着用物品において、
前記脚周り周縁部が、前記胴周り周縁部を除く前記前後胴周り域に延びる胴周り部分と、前記股下域に延びる股下部分とから形成され、前記レッグ開口が、前記前後胴周り域の両側に開口して前記アウターシートに覆われた上方開口と、前記上方開口に連なって前記股下域の両側に開口する下方開口とから形成され、
前記アウターシートの上縁部が、前記パンツの胴周り周縁部に固着され、前記アウターシートの中間部と下縁部とのうちの少なくとも下縁部が、前記パンツの前後胴周り域の胴周り方向中央部に固着されていることを特徴とする前記着用物品。
【請求項２】
縦方向へ所定寸法離間して胴周り方向へ延びる複数条の胴周り用弾性部材が、前記アウターシートの上下縁部と中間部とに収縮可能に取り付けられ、縦方向へ延びる脚周り用弾性部材が、前記脚周り周縁部のうちの前記股下部分と該股下部分の側に位置する前記胴周り部分とに収縮可能に取り付けられ、前記胴周り部分に延びる前記脚周り用弾性部材の縦方向両端部が、前記アウターシートの下縁部に延びる前記胴周り用弾性部材と交差している請求項１記載の着用物品。
【請求項３】
前記アウターシートが、前記胴周り方向へ弾性的な伸縮性を有し、縦方向へ延びる脚周り用弾性部材が、前記脚周り周縁部のうちの前記股下部分と該股下部分の側に位置する前記胴周り部分とに収縮可能に取り付けられ、前記胴周り部分に延びる前記脚周り用弾性部材の縦方向両端部が、前記アウターシートの下縁部と交差している請求項１記載の着用物品。
【請求項４】
前記アウターシートが、前記パンツの前後胴周り域のうちの少なくとも前胴周り域の胴周り方向中央部に位置して縦方向へ延びる連結部分を有し、前記連結部分では、前記アウターシートの上下縁部および中間部の一方が他方の外側に重なり合った状態でそれら部どうしが固着されている請求項１ないし請求項３いずれかに記載の着用物品。
【請求項５】
前記パンツの脚周り周縁部の間に位置して縦方向へ延びる複数条の補助弾性部材が、前記パンツの前後胴周り域と股下域とのうちの少なくとも該股下域に収縮可能に取り付けられている請求項１ないし請求項４いずれかに記載の着用物品。
【請求項６】
前記補助弾性部材が、前記パンツの股下域から前後胴周り域を通って胴周り周縁部に達している請求項５記載の着用物品。
【発明の詳細な説明】
【技術分野】
【０００１】
本発明は、パンツ型の使い捨て着用物品に関する。
【背景技術】
【０００２】
縦方向へ延びる吸液性パネルと、パネルの外側に位置して胴周り方向へ環を画く帯状の伸縮性第１および第２アウターシートとから構成され、互いに対向する前胴周り域および後胴周り域と、それら胴周り域の間に位置してＵ字形に折れ曲がる股下域とを有するとともに、ウエスト開口と股下域の両側に開口する一対のレッグ開口とを有するパンツ型の使い捨て着用物品がある（特許文献１参照）。この物品は、第１アウターシートが前胴周り域を形成し、第２アウターシートが後胴周り域を形成し、パネルが前後胴周り域の一部と股下域とを形成している。
【０００３】
パネルは、透液性表面シートと、不透液性裏面シートと、表裏面シートの間に介在する吸液性コアとから形成され、胴周り方向へ延びる両端部と、縦方向へ延びる両側部とを有する。第１および第２アウターシートは、胴周り方向へ延びる上縁部と、股下域の側に位置して胴周り方向へ延びる下縁部と、上下縁部間に位置して胴周り方向へ延びる中間部とを有するとともに、レッグ開口の上方に位置して縦方向へ延びる連結部分を有する。連結部分では、それらアウターシートの上下縁部および中間部が合掌状に重なり合い、それら部が縦方向へ間欠的に並ぶ複数の熱融着線を介して固着されている。この物品では、第１および第２アウターシートの下縁部がパネルの外面に固着され、パネルの両端部全体が第１および第２アウターシートの中間部の内面に固着されている。この物品では、それらアウターシートの上縁部がウエスト開口を形成し、パネルの両側部とそれらアウターシートの下縁部の一部とがレッグ開口を形成している。
【特許文献１】特開２００３−２９０２８４号公報
【発明の開示】
【発明が解決しようとする課題】
【０００４】
特許文献１に開示の着用物品では、レッグ開口が前後胴周り域の両側に開口せず、股下域の両側のみに開口しているので、レッグ開口の開口面積が小さく、着用者の足をレッグ開口に通すときに、足の指や踵がレッグ開口を囲繞するパネルの両側部やアウターシートの下縁部に引っ掛かり、物品の着用に手間取る場合がある。
【０００５】
本発明の目的は、着用者の足をレッグ開口に容易に通すことができ、着用に手間取ることがないパンツ型の使い捨て着用物品を提供することにある。
【課題を解決するための手段】
【０００６】
前記課題を解決するための本発明の前提は、互いに対向する前後胴周り域およびそれら胴周り域の間に位置する股下域を有するとともにウエスト開口および一対のレッグ開口を有するパンツと、パンツの前後胴周り域の外側に位置して胴周り方向へ環を画く帯状のアウターシートとから構成され、パンツが、ウエスト開口を囲繞して胴周り方向へ延びる胴周り周縁部と、レッグ開口を囲繞して縦方向へ延びる脚周り周縁部とを有し、アウターシートが、パンツの胴周り周縁部に並行して胴周り方向へ延びる上縁部と、パンツの股下域の側に位置して胴周り方向へ延びる下縁部と、上下縁部間に位置して胴周り方向へ延びる中間部とを有するパンツ型の使い捨て着用物品である。
【０００７】
前記前提における本発明の特徴は、脚周り周縁部が、胴周り周縁部を除く前後胴周り域に延びる胴周り部分と、股下域に延びる股下部分とから形成され、レッグ開口が、前後胴周り域の両側に開口してアウターシートに覆われた上方開口と、上方開口に連なって前記股下域の両側に開口する下方開口とから形成され、アウターシートの上縁部がパンツの胴周り周縁部に固着され、アウターシートの中間部と下縁部とのうちの少なくとも下縁部がパンツの前後胴周り域の胴周り方向中央部に固着されていることにある。この物品は、レッグ開口が股下域の両側のみならず前後胴周り域の両側に開口し、レッグ開口の開口面積が大きく、上方開口を覆うアウターシートの部分をめくり上げることでレッグ開口全体が露出する。
【０００８】
本発明は、以下の実施態様を有する。
（１）本発明の実施態様の一例は、縦方向へ所定寸法離間して胴周り方向へ延びる複数条の胴周り用弾性部材がアウターシートの上下縁部と中間部とに収縮可能に取り付けられ、縦方向へ延びる脚周り用弾性部材が脚周り周縁部のうちの股下部分と該股下部分の側に位置する胴周り部分とに収縮可能に取り付けられ、胴周り部分に延びる脚周り用弾性部材の縦方向両端部がアウターシートの下縁部に延びる胴周り用弾性部材と交差している。この態様の物品では、アウターシートの上下縁部と中間部とが着用者の胴部を締め付けるとともに、脚周り用弾性部材とアウターシートの下縁部に取り付けられた胴周り用弾性部材とが協働して着用者の大腿部を締め付ける。
（２）本発明の実施態様の他の一例は、アウターシートが胴周り方向へ弾性的な伸縮性を有し、縦方向へ延びる脚周り用弾性部材が脚周り周縁部のうちの股下部分と該股下部分の側に位置する胴周り部分とに収縮可能に取り付けられ、胴周り部分に延びる脚周り用弾性部材の縦方向両端部がアウターシートの下縁部と交差している。この態様の物品では、アウターシートが着用者の胴部を締め付けるとともに、脚周り用弾性部材とアウターシートの下縁部とが協働して着用者の大腿部を締め付ける。
（３）本発明の実施態様の他の一例は、アウターシートがパンツの前後胴周り域のうちの少なくとも前胴周り域の胴周り方向中央部に位置して縦方向へ延びる連結部分を有し、連結部分では、アウターシートの上下縁部および中間部の一方が他方の外側に重なり合った状態でそれら部どうしが固着されている。
（４）本発明の実施態様の他の一例は、パンツの脚周り周縁部の間に位置して縦方向へ延びる複数条の補助弾性部材がパンツの前後胴周り域と股下域とのうちの少なくとも該股下域に収縮可能に取り付けられている。この態様の物品では、補助弾性部材の収縮力がパンツの少なくとも股下域をウエスト開口へ向かって持ち上げる。
（５）本発明の実施態様の他の一例は、補助弾性部材がパンツの股下域から前後胴周り域を通って胴周り周縁部に達している。この態様の物品では、補助弾性部材の収縮力がパンツ全体をウエスト開口へ向かって持ち上げる。
【発明の効果】
【０００９】
本発明に係るパンツ型の使い捨て着用物品によれば、レッグ開口が前後胴周り域の両側に開口する上部開口と股下域の両側に開口する下部開口とから形成されているので、レッグ開口が股下域の両側のみに開口する従来技術の物品と比較し、レッグ開口の開口面積が大きい。この物品は、アウターシートの中間部と下縁部とのうちの少なくとも下縁部がパンツの前後胴周り域の胴周り方向中央部のみに固着されているので、上方開口を覆うアウターシートの部分をウエスト開口へ向かってめくり上げることができ、さらに、アウターシートの部分をめくり上げることで、開口面積が大きいレッグ開口全体を露出させることができるので、物品の着用時に着用者の足をレッグ開口に容易に通すことができる。この物品は、その着用時にパンツの脚周り周縁部に対する着用者の足の指や踵の引っ掛かりを防ぐことができるので、物品の着用に手間取ることがない。この物品は、アウターシートの中間部と下縁部とのうちの少なくとも下縁部がパンツの前後胴周り域の胴周り方向中央部に固着されているので、物品の着用中にアウターシートが下縁部から上縁部に向かって不用意にめくれてしまうことがなく、さらに、アウターシートの部分が着用者の大腿部の動きに追従して自由に動くので、アウターシートが大腿部の動きを拘束することがない。
【００１０】
複数条の胴周り用弾性部材がアウターシートの上下縁部と中間部とに収縮可能に取り付けられ、脚周り用弾性部材が脚周り周縁部のうちの股下部分と該股下部分の側に位置する胴周り部分とに収縮可能に取り付けられた物品では、胴周り用弾性部材が着用者の胴部を締め付けるので、着用中における物品のずれ下がりを防ぐことができる。この物品は、脚周り用弾性部材の縦方向両端部がアウターシートの下縁部に延びる胴周り用弾性部材と交差し、脚周り用弾性部材と胴周り用弾性部材とによって着用者の大腿部全体が囲繞され、それら弾性部材が協働して着用者の大腿部を締め付けるので、物品の着用中におけるレッグ開口からの体液の漏れを防ぐことができる。この物品は、脚周り用弾性部材が脚周り周縁部のうちの股下部分の全体と股下部分の側における胴周り部分の一部とに取り付けられ、胴周り部分の全体に取り付けられていないので、脚周り用弾性部材が収縮したとしても、脚周り周縁部全体が縮むことはなく、レッグ開口の開口面積が必要以上に縮小することがない。この物品は、レッグ開口の開口面積を一定の大きさに保持することができ、パンツの脚周り周縁部に対する着用者の足の指や踵の引っ掛かりを確実に防ぐことができる。
【００１１】
アウターシートが胴周り方向へ弾性的な伸縮性を有し、脚周り用弾性部材が脚周り周縁部のうちの前記股下部分と該股下部分の側に位置する前記胴周り部分とに収縮可能に取り付けられた物品では、アウターシートが着用者の胴部を締め付けるので、着用中における物品のずれ下がりを防ぐことができる。この物品は、脚周り用弾性部材の縦方向両端部がアウターシートの下縁部と交差し、脚周り用弾性部材とアウターシートの下縁部とによって着用者の大腿部全体が囲繞され、弾性部材とアウターシートとが協働して着用者の大腿部を締め付けるので、物品の着用中におけるレッグ開口からの体液の漏れを防ぐことができる。この物品は、脚周り用弾性部材が脚周り周縁部のうちの股下部分の全体と股下部分の側における胴周り部分の一部とに取り付けられ、胴周り部分の全体に取り付けられていないので、脚周り用弾性部材が収縮したとしても、脚周り周縁部全体が縮むことはなく、レッグ開口の開口面積が必要以上に縮小することがない。この物品は、レッグ開口の開口面積を一定の大きさに保持することができ、パンツの脚周り周縁部に対する着用者の足の指や踵の引っ掛かりを確実に防ぐことができる。
【００１２】
アウターシートが連結部分を有し、連結部分においてアウターシートの上下縁部および中間部の一方が他方の外側に重なり合った状態でそれら部どうしが固着された物品では、アウターシートの連結部分がレッグ開口の上方に位置するとともに連結部分において上下縁部および中間部が合掌状に重なり合う従来技術の物品と比較し、上下縁部や中間部の縁が着用者の肌に接触し難く、それら部の縁が着用者の肌に接触することによる不快感を防ぐことができる。
【００１３】
縦方向へ延びる複数条の補助弾性部材がパンツの前後胴周り域と股下域とのうちの少なくとも該股下域に収縮可能に取り付けられた物品は、弾性部材の収縮力によってそれら域のうちの特に股下域がウエスト開口へ向かって持ち上げられるので、パンツの股下域を着用者の肌に密着させることができる。
【００１４】
補助弾性部材がパンツの股下域から前後胴周り域を通って胴周り縁部に達する物品では、弾性部材の収縮力によって前後胴周り域と股下域とがウエスト開口へ向かって持ち上げられるので、パンツ全体を着用者の肌に密着させることができる。
【発明を実施するための最良の形態】
【００１５】
添付の図面を参照し、本発明に係るパンツ型の使い捨て着用物品の詳細を説明すると、以下のとおりである。
【００１６】
図１，２は、一例として示す着用物品２０Ａの斜視図と、図１の物品２０Ａの部分破断斜視図とであり、図３，４は、パンツ２１とアウターシート２２とを分離して示す図１の物品２０Ａの分解斜視図と、図１の４−４線矢視断面図とである。図１では、胴周り方向を矢印Ｌで示し、縦方向を矢印Ｍで示す。図２，３では、パンツ２１とアウターシート２２との固着部位にハッチング（斜線）を入れている。この物品２０Ａは、パンツ２１の内側に体液吸収パッド４７を乗せてパッド４７とともに着用する。
【００１７】
物品２０Ａは、パンツ２１と、胴周り方向へ環を画くアウターシート２２とから構成されている。パンツ２１は、互いに重なり合った状態で対向面が断続的に固着された２枚の疎水性繊維不織布から作られている。不織布には、撥水処理が施されていることが好ましい。パンツ２１は、通気不透液性であり、体液が滲入することや体液が透過することはない。パンツ２１は、互いに対向する前胴周り域２３および後胴周り域２５と、それら胴周り域２３，２５の間に位置してＵ字形に折れ曲がる股下域２４とを有する。パンツ２１には、ウエスト開口２６と一対のレッグ開口２７とが形成されている。パンツ２１は、ウエスト開口２６を囲繞して胴周り方向へ延びる胴周り周縁部２８と、レッグ開口２７を囲繞して縦方向へ延びる脚周り周縁部２９とを有する。
【００１８】
レッグ開口２７は、前後胴周り域２３，２５の両側に開口する上方開口３０と、上方開口３０に連なって股下域２４の両側に開口する下方開口３１とから形成されている。上方開口３０は、アウターシート２２の部分３２に覆われている。胴周り周縁部２８は、レッグ開口２７の上方に位置する連結部分３３を有する。胴周り周縁部２８の連結部分３３は、一方の部分３３が他方の部分３３の外側に重なり合った状態でそれら部分３３どうしが固着されている。
【００１９】
脚周り周縁部２９は、胴周り方向内方へ向かって弧を画いている。脚周り周縁部２９は、胴周り周縁部２８を除く前後胴周り域２３，２５に延びる胴周り部分３４と、股下域２４に延びる股下部分３５とから形成されている。胴周り部分３４は、アウターシート２２の内側に位置し、上方開口３０を囲繞している。股下部分３５は、下方開口３１を囲繞している。脚周り周縁部２９には、縦方向へ延びる複数条の脚周り用弾性部材３６が収縮可能に取り付けられている。
【００２０】
脚周り用弾性部材３６は、脚周り周縁部２９のうちの股下部分３５の全体と股下部分３５の側に位置する胴周り部分３４の一部とに取り付けられ、胴周り部分３４の全体に取り付けられていない。弾性部材３６は、不織布に包被され、縦方向へ所定の倍率に伸長させた状態で不織布に固着されている。胴周り部分３４に延びる脚周り用弾性部材３６の縦方向両端部３７は、アウターシート２２の後記する下縁部４１に取り付けられた胴周り用弾性部材４６と立体的に交差している。
【００２１】
脚周り周縁部２９の間には、胴周り方向へ所定寸法離間して縦方向へ延びる複数条の補助弾性部材３８が収縮可能に取り付けられている。弾性部材３８は、股下域２４から前後胴周り域２３，２５を通って胴周り周縁部２８に達している。弾性部材３８は、不織布の間に介在し、縦方向へ所定の倍率に伸長させた状態で不織布の対向面に固着されている。
【００２２】
パンツ２１では、脚周り用弾性部材３６の伸長が解除され、弾性部材３６の収縮によって股下部分３５と股下部分３５の側に位置する胴周り部分３４とが縦方向へ縮み、胴周り部分３４の一部と股下部分３５の全体とにギャザーが形成されている。また、補助弾性部材３８の伸長が解除され、弾性部材３８の収縮によって前後胴周り域２３，２５と股下域２４とが縦方向へ縮み、それら域２３，２４，２５にギャザーが形成されている。
【００２３】
アウターシート２２は、互いに重なり合った状態で対向面が断続的に固着された２枚の疎水性繊維不織布から作られている（図４参照）。不織布には、撥水処理が施されていることが好ましい。アウターシート２２は、通気不透液性であり、体液が滲入することや体液が透過することはない。アウターシート２２は、パンツ２１の胴周り周縁部２８に並行して胴周り方向へ延びる上縁部３９と、股下域２４の側に位置して胴周り方向へ延びる下縁部４１と、上下縁部３９，４１間に位置して胴周り方向へ延びる中間部４０とを有する。アウターシート２２は、パンツ２１の前胴周り域２３の胴周り方向中央部４２に位置して縦方向へ延びる連結部分４３を有する。連結部分４３では、上下縁部３９，４１および中間部４０の一方が他方の外側に重なり合い、上縁部３９どうしが固着され、中間部４０どうしが固着されているとともに、下縁部４１どうしが固着されている。アウターシート２２の上下縁部３９，４１と中間部４０とには、縦方向へ所定寸法離間して胴周り方向へ延びる複数条の胴周り用弾性部材４４，４５，４６が収縮可能に取り付けられている。それら弾性部材４４，４５，４６は、胴周り方向へ環を画いている。
【００２４】
上縁部３９に配置された弾性部材４４は、不織布に包被され、胴周り方向へ所定の倍率に伸長させた状態で不織布に固着されている。中間部４０と下縁部４１とに配置された弾性部材４５，４６は、不織布の間に介在し、胴周り方向へ所定の倍率に伸長させた状態で不織布の対向面に固着されている。アウターシート２２では、胴周り用弾性部材４４，４５，４６の伸長が解除され、それら弾性部材４４，４５，４６の収縮によってシート２２が胴周り方向へ縮み、シート２２の上下部３９，４１と中間部４０とにギャザーが形成されている。上縁部３９に配置された弾性部材４４は、その本数が中間部４０と下縁部４１とに配置された弾性部材４５，４６のそれよりも多く、縦方向への離間寸法が中間部４０と下縁部４１とに配置された弾性部材４５，４６のそれよりも小さい。アウターシート２２は、上端部３９における胴周り方向の伸長応力が中間部４０と下縁部４１とにおける胴周り方向のそれよりも大きい。
【００２５】
アウターシート２２は、上縁部３９全体がパンツ２１の胴周り周縁部２８全体に連続的に固着され、中間部４０と下縁部４１とがパンツ２１の前後胴周り域２３，２５の胴周り方向中央部４２に連続的に固着されている。上縁部３９は、胴周り用弾性部材４４が配置された部分以外の部分がパンツ２１に固着されている。中間部４０と下縁部４１とは、胴周り方向中央部４２以外においてパンツ２１に固着されていない。
【００２６】
パッド４７は、縦長矩形を呈し、肌当接側に位置する透液性表面シート４８と、肌非当接側に位置する不透液性裏面シート４９と、表裏面シート４８，４９の間に介在してそれらシート４８，４９の内面に接合された吸液性コア５０とから構成されている。パッド４７では、コア５０の周縁から周方向外方へ延びる表裏面シート４８，４９の周縁部が重なり合った状態で固着されている。裏面シート４９の外面には、粘着剤５１が部分的に塗布されている。パッド４７は、粘着剤５１を介してパンツ２１の内側に着脱可能に止着されている（図４参照）。
【００２７】
表面シート４８は、親水性繊維不織布から作られている。裏面シート４９は、撥水処理が施された疎水性繊維不織布から作られている。コア５０は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚みに圧縮されている。コア５０は、それの型崩れを防止するため、全体がティッシュペーパー（図示せず）に包被されている。
【００２８】
図５，６は、物品２０Ａの着用手順を示す説明図と、着用状態で示す図１の物品２０Ａの斜視図とである。物品２０Ａを着用するには、図５に示すように、上方開口３０を覆うアウターシート２２の部分３２をウエスト開口２６へ向かってめくり上げ、レッグ開口２７全体を露出させた後、着用者の足をウエスト開口２６からレッグ開口２７へ通す。着用者が物品２０Ａを着用した後は、めくり上げたアウターシート２２の部分３２を下方開口３１に向かって下げる。物品２０Ａの着用中に排泄された体液は、パッド４７の表面シート４８を透過してコア５０に吸収される。物品２０Ａは、使用後に廃棄するのみならず、体液で汚れたパッド４７を交換することで、繰り返して使用することもできる。
【００２９】
物品２０Ａは、レッグ開口２７が前後胴周り域２３，２５の両側に開口する上部開口３０と股下域２４の両側に開口する下部開口３１とから形成されているので、レッグ開口２７が股下域２４の両側に開口する下部開口３１のみから形成されている場合と比較し、レッグ開口２７の開口面積が大きい。物品２０Ａは、アウターシート２２の中間部４０と下縁部４１とがパンツ２１の前後胴周り域２３，２５の胴周り方向中央部４２のみに固着されているので、上方開口３０を覆うアウターシート２２の部分３２をウエスト開口２６へ向かってめくり上げることができ、さらに、アウターシート２２の部分３２をめくり上げることで、開口面積が大きいレッグ開口２７全体を露出させることができるので、物品２０Ａの着用時に着用者の足をレッグ開口２７に容易に通すことができる。物品２０Ａは、その着用時にパンツ２１の脚周り周縁部２９に対する着用者の足の指や踵の引っ掛かりを防ぐことができ、物品２０Ａの着用に手間取ることがない。
【００３０】
物品２０Ａは、アウターシート２２の上縁部３９のうちの胴周り用弾性部材４４が配置された部分以外の部分がパンツ２１に固着され、さらに、アウターシート２２の中間部４０と下縁部４１とが胴周り方向中央部４２以外においてパンツ２１に固着されていないので、パンツ２１の剛性によって胴周り用弾性部材４４，４５，４６の収縮力が低下することはなく、それら弾性部材４４，４５，４６の収縮力を十分に利用して着用者の胴部を確実に締め付けることができ、着用中における物品２０Ａの不用意なずれ下がりを防ぐことができる。物品２０Ａは、脚周り用弾性部材３６の縦方向両端部３７がアウターシート２２の下縁部４１に取り付けられた胴周り用弾性部材４６と立体的に交差しているので、脚周り用弾性部材３６と胴周り用弾性部材４６とによって着用者の大腿部全体が囲繞され、それら弾性部材３６，４６が協働して着用者の大腿部を締め付けるので、物品２０Ａの着用中におけるレッグ開口２７からの体液の漏れを防ぐことができる。
【００３１】
物品２０Ａは、脚周り用弾性部材３６が脚周り周縁部２９全体に取り付けられていると、弾性部材３６の収縮によって脚周り周縁部２９全体が縮み、レッグ開口２７の開口面積が縮小してしまう。しかし、この物品２０Ａは、脚周り用弾性部材３６が脚周り周縁部２９のうちの股下部分３５の全体と股下部分３５の側における胴周り部分３４の一部とに取り付けられ、胴周り部分３４の全体に取り付けられていないので、脚周り用弾性部材３６が脚周り周縁部２９全体に取り付けられている場合と比較し、レッグ開口２７の開口面積が縮小することはなく、レッグ開口２７の開口面積を一定の大きさに保持することができ、パンツ２１の脚周り周縁部２９に対する着用者の足の指や踵の引っ掛かりを確実に防ぐことができる。
【００３２】
物品２０Ａは、アウターシート２２の中間部４０と下縁部４１とがパンツ２１の前後胴周り域２３，２５の胴周り方向中央部４２に固着されているので、物品２０Ａの着用中にアウターシート２２が下縁部４１から上縁部３９に向かって不用意にめくれてしまうことがない。物品２０Ａは、アウターシート２２の部分３２が着用者の大腿部の動きに追従して自由に動くので、アウターシート２２が大腿部の動きを拘束することがない。物品２０Ａは、連結部分４３においてアウターシート２２の上下縁部３９，４１および中間部４０の一方が他方の外側に重なり合った状態でそれら部３９，４０，４１どうしが固着されているので、連結部分４３においてそれら部３９，４０，４１が合掌状に重なり合って固着された場合と比較し、上下縁部３９，４１や中間部４０の縁が着用者の肌に接触し難く、それら部３９，４０，４１の縁が着用者の肌に接触することによる不快感を防ぐことができる。
【００３３】
物品２０Ａは、パンツ２１の前後胴周り域２３，２５と股下域２４とに縦方向へ延びる補助弾性部材３８が取り付けられ、弾性部材３８がパンツ２１の股下域２４から前後胴周り域２３，２５を通って胴周り周縁部２８に達しているので、弾性部材３８の収縮力によってパンツ２１の前後胴周り域２３，２５と股下域２４とがウエスト開口２６へ向かって持ち上げられ、パンツ２１の内側に乗せたパッド４７全体を着用者の肌に密着させることができ、パッド４７に体液を確実に吸収させることができる。
【００３４】
物品２０Ａでは、脚周り用弾性部材３６の伸長応力が０．０１〜１．５０Ｎの範囲にあり、胴周り用弾性部材４４，４５，４６の伸長応力が０．０１〜１．５０Ｎの範囲にある。それら弾性部材３６，４４，４５，４６の伸長応力は、弾性部材１本の伸長応力である。弾性部材３６の伸長応力が０．０１Ｎ未満では、着用者の大腿部の締め付けが不十分となり、レッグ開口２７から体液が漏れてしまう場合がある。弾性部材３６の伸長応力が１．５０Ｎを超過すると、脚周り周縁部２９が必要以上に縮み、レッグ開口２７の開口面積が縮小して物品２０Ａの着用時に着用者の足の指や踵がパンツ２１の脚周り周縁部２９に引っ掛かってしまう場合がある。弾性部材４４，４５，４６の伸長応力が０．０１Ｎ未満では、着用者の胴部の締め付けが不十分となり、着用中に物品２０Ａが胴部から不用意にずれ下がってしまう場合がある。弾性部材４４，４５，４６の伸長応力が１．５０Ｎを超過すると、アウターシート２２が胴周り方向へ必要以上に縮み、ウエスト開口２６の開口面積が縮小するとともに、アウターシート２２の部分３２をウエスト開口２６へ向かってめくり上げ難くなり、物品２０Ａの着用に手間取る場合がある。なお、それら弾性部材３６，４４，４５，４６の伸長応力は、以下の方法で測定した。
（１）パンツ２１の脚周り周縁部２９に取り付けた脚周り用弾性部材３６と同一のそれを測定用第１サンプル（１本）として用意するとともに、アウターシート２２に取り付けた胴周り用弾性部材４４，４５，４６と同一のそれを測定用第２サンプル（１本）として用意する。伸長応力測定には、島津製作所社製の引張り試験機を使用した。
（２）サンプルの縦方向両端部を引張り試験機のチャックで挟み（チャックによるサンプルの挟み寸法：約１０ｍｍ、サンプルのチャック間寸法：約１００ｍｍ）、１００ｍｍ／ｍｉｎの速度でサンプルを縦方向へ引っ張り、サンプルを３００％まで伸長させた後、伸長状態を解除する。再度、試験機を介して１００ｍｍ／ｍｉｎの速度でサンプルを縦方向へ引っ張り、サンプルを２００％まで伸長させ、そのときの試験機にかかる力を測定する。第１サンプルの伸長応力は、０．０１〜１．５０Ｎであり、第１サンプルの伸長応力を脚周り用弾性部材３６の１本の伸長応力とする。第２サンプルの伸長応力は、０．０１〜１．５０Ｎであり、第２サンプルの伸長応力を胴周り用弾性部材４４，４５，４６の１本の伸長応力とする。ここで、サンプルを２００％まで伸長させるとは、たとえば、サンプルのチャック間寸法が１００ｍｍの場合、サンプルを１００ｍｍに２．０を乗じた値である約２００ｍｍまで伸ばすことである。
【００３５】
この物品２０Ａは、アウターシート２２の上縁部３９がパンツ２１の胴周り周縁部２８に間欠的に固着され、シート２２の中間部４０と下縁部４１とがパンツ２１の後胴周り域２３，２５の胴周り方向中央部４２に間欠的に固着されていてもよい。物品２０Ａは、アウターシート２２の上縁部３９がパンツ２１の胴周り周縁部２８に固着されるとともに、シート２２の下縁部４１がパンツ２１の前後胴周り域２３，２５の胴周り方向中央部４２に固着されていればよく、シート２２の中間部４０が胴周り方向中央部４２に固着されていなくてもよい。物品２０Ａでは、パンツ２１の少なくとも股下域２４をウエスト開口２６へ向かって持ち上げればよく、そのために補助弾性部材３８が前後胴周り域２３，２５と股下域２４とのうちの少なくとも股下域２４に取り付けられていればよい。また、パンツ２１に補助弾性部材３８が取り付けられていなくてもよい。
【００３６】
図７，８は、他の一例として示す着用物品２０Ｂの斜視図と、図７の物品２０Ｂの部分破断斜視図とであり、図９，１０は、パンツ２１とアウターシート２２とを分離して示す図７の物品２０Ｂの分解斜視図と、図７の１０−１０線矢視断面図とである。図７，８では、胴周り方向を矢印Ｌで示し、縦方向を矢印Ｍで示す。図８，９では、パンツ２１とアウターシート２２との固着部位にハッチング（斜線）を入れている。
【００３７】
物品２０Ｂは、パンツ２１と、弾性的な伸縮性を有して胴周り方向へ環を画くアウターシート２２とから構成されている。パンツ２１は、肌当接側に位置する透液性表面シート５２と、肌非当接側に位置する不透液性裏面シート５３と、表裏面シート５２，５３の間に介在してそれらシート５２，５３の内面に接合された吸液性コア５４とから形成されている（図１０参照）。パンツ２１は、互いに対向する前胴周り域２３および後胴周り域２５と、それら胴周り域２３，２４の間に位置する股下域２４とを有する。パンツ２１には、ウエスト開口２６と一対のレッグ開口２７とが形成されている。パンツ２１は、ウエスト開口２６を囲繞して胴周り方向へ延びる胴周り周縁部２８と、レッグ開口２７を囲繞して縦方向へ延びる脚周り周縁部２９とを有する。表面シート５２は、親水性繊維不織布から作られている。裏面シート５３は、撥水処理が施された疎水性繊維不織布から作られている。コア５４は、図１のパッドのそれと同一の混合物である。
【００３８】
レッグ開口２７は、前後胴周り域２３，２５の両側に開口する上方開口３０と、上方開口３０に連なって股下域２４の両側に開口する下方開口３１とから形成されている。上方開口３０は、アウターシート２２の部分３２に覆われている。胴周り周縁部２８は、コア５４の端縁から縦方向外方へ延びる表裏面シート５２，５３の端部から形成されている。胴周り周縁部２８では、表裏面シート５２，５３の端部が重なり合った状態でそれらシート５２，５３の内面どうしが固着されている。胴周り周縁部２８は、レッグ開口２７の上方に位置する連結部分３３を有する。胴周り周縁部２８の連結部分３３は、一方の部分３３が他方の部分３３の外側に重なり合った状態でそれら部分３３どうしが固着されている。
【００３９】
脚周り周縁部２９は、胴周り方向内方へ向かって弧を画いている。脚周り周縁部２９は、胴周り周縁部２８を除く前後胴周り域２３，２５に延びる胴周り部分３４と、股下域２４に延びる股下部分３５とから形成されている。胴周り部分３４は、アウターシート２２の内側に位置し、上方開口３０を囲繞している。股下部分３５は、下方開口３１を囲繞している。脚周り周縁部２９は、コア５４の側縁から胴周り方向外方へ延びる表裏面シート５２，５３の側部から形成されている。脚周り周縁部２９では、表裏面シート５２，５３の側部が重なり合った状態でそれらシート５２，５３の内面どうしが固着されている。脚周り周縁部２９には、縦方向へ延びる複数条の脚周り用弾性部材３６が収縮可能に取り付けられている。
【００４０】
脚周り用弾性部材３６は、脚周り周縁部２９のうちの股下部分３５の全体と股下部分３５の側における胴周り部分３４の一部とに取り付けられ、胴周り部分３４の全体に取り付けられていない。脚周り用弾性部材３６は、表裏面シート５２，５３の間に介在し、縦方向へ所定の倍率に伸長させた状態でそれらシート５２，５３の内面に固着されている。胴周り部分３４に延びる脚周り用弾性部材３６の縦方向両端部３７は、後記するアウターシート２２の下縁部４１と立体的に交差している。パンツ２１では、脚周り用弾性部材３６の伸長が解除され、弾性部材３６の収縮によって股下部分３５と股下部分３５の側に位置する胴周り部分３４とが縦方向へ縮み、胴周り部分３４の一部と股下部分３５の全体とにギャザーが形成されている。
【００４１】
アウターシート２２は、互いに重なり合った状態で対向面が断続的に固着された２枚の伸縮性かつ疎水性繊維不織布から作られている（図１０参照）。不織布には、撥水処理が施されていることが好ましい。アウターシート２２は、通気不透液性であり、体液が滲入することや体液が透過することはない。アウターシート２２は、パンツ２１の胴周り周縁部２８に並行して胴周り方向へ延びる上縁部３９と、股下域２４の側に位置して胴周り方向へ延びる下縁部４１と、上下縁部間３９，４１に位置して胴周り方向へ延びる中間部４０とを有する。アウターシート２２は、レッグ開口２７に位置して縦方向へ延びる連結部分４３を有する。連結部分４３では、上下縁部３９，４１および中間部４０の一方が他方の外側に重なり合い、上縁部３９どうしが固着され、中間部４０どうしが固着されているとともに、下縁部４１どうしが固着されている。アウターシート２２の上縁部３９には、縦方向へ所与寸法離間して胴周り方向へ延びる複数条の胴周り用弾性部材５５が収縮可能に取り付けられている。弾性部材５５は、胴周り方向へ環を画いている。
【００４２】
胴周り用弾性部材５５は、不織布に包被され、胴周り方向へ所定の倍率に伸長させた状態で不織布に固着されている。アウターシート２２では、胴周り用弾性部材５５の伸長が解除され、弾性部材５５の収縮によってシート２２の上縁部３９が胴周り方向へ縮み、上縁部３９にギャザーが形成されている。アウターシート２２では、上端部３９における胴周り方向の伸長応力が中間部４０と下縁部４１とにおける胴周り方向のそれよりも大きい。
【００４３】
アウターシート２２は、上縁部３９全体がパンツの胴周り周縁部２８全体に連続的に固着され、中間部４０と下縁部４１とがパンツ２１の前後胴周り域２３，２５の胴周り方向中央部４２に間欠的に固着されている。上縁部３９は、胴周り用弾性部材５５が配置された部分以外の部分がパンツ２１に固着されている。中間部４０と下縁部４１とは、胴周り方向中央部４２以外においてパンツ２１に固着されていない。
【００４４】
図１１は、物品２０Ｂの着用手順を示す説明図である。この物品２０Ｂを着用するには、図１１に示すように、上方開口３０を覆うアウターシート２２の部分３２をウエスト開口２６へ向かってめくり上げ、レッグ開口２７全体を露出させた後、着用者の足をウエスト開口２６からレッグ開口２７へ通す。着用者が物品２０Ｂを着用した後は、めくり上げたアウターシート２２の部分３２を下方開口３１に向かって下げる。物品２０Ｂの着用中に排泄された体液は、パンツ２１の表面シート５２を透過してコア５４に吸収される。
【００４５】
物品２０Ｂは、レッグ開口２７が前後胴周り域２３，２５の両側に開口する上部開口３０と股下域２４の両側に開口する下部開口３１とから形成されているので、レッグ開口２７が股下域２４の両側に開口する下部開口３１のみから形成されている場合と比較し、レッグ開口２７の面積が大きい。物品２０Ｂは、アウターシート２２の中間部４０と下縁部４１とがパンツ２１の前後胴周り域２３，２５の胴周り方向中央部４２のみに固着されているので、上方開口３０を覆うアウターシート２２の部分３２をウエスト開口２６へ向かってめくり上げることができ、さらに、アウターシート２２の部分３２をめくり上げることで、面積が大きいレッグ開口２７全体を露出させることができるので、物品２０Ｂの着用時に着用者の足をレッグ開口２７に容易に通すことができる。物品２０Ｂは、その着用時にパンツ２１の脚周り周縁部２９に対する着用者の足の指や踵の引っ掛かりを防ぐことができ、物品２０Ｂの着用に手間取ることがない。
【００４６】
物品２０Ｂは、伸縮性を有するアウターシート２２と胴周り用弾性部材５５との収縮力を十分に利用して着用者の胴部を確実に締め付けることができ、着用中における物品２０Ｂの不用意なずれ下がりを防ぐことができる。物品２０Ｂは、脚周り用弾性部材３６の縦方向両端部３７がアウターシート２２の下縁部４１と立体的に交差しているので、アウターシート２２の下縁部４１と脚周り用弾性部材３６とによって着用者の大腿部全体が囲繞され、シート２２と弾性部材３６とが協働して着用者の大腿部を締め付けるので、物品２０Ｂの着用中におけるレッグ開口２７からの体液の漏れを防ぐことができる。
【００４７】
物品２０Ｂは、脚周り用弾性部材３６が脚周り周縁部２９のうちの股下部分３５の全体と股下部分３５の側における胴周り部分３４の一部とに取り付けられ、胴周り部分３４の全体に取り付けられていないので、脚周り用弾性部材３６が脚周り周縁部２９全体に取り付けられている場合と比較し、レッグ開口２７の開口面積が縮小することはなく、開口面積を一定の大きさに保持することができ、パンツ２１の脚周り周縁部２９に対する着用者の足の指や踵の引っ掛かりを確実に防ぐことができる。物品２０Ｂは、アウターシートの中間部４０と下縁部４１とがパンツ２１の前後胴周り域２３，２５の胴周り方向中央部４２に固着されているので、物品２０Ｂの着用中にアウターシート２２が下縁部４１から上縁部３９に向かって不用意にめくれてしまうことがない。物品２０Ｂは、アウターシート２２の部分３２が着用者の大腿部の動きに追従して自由に動くので、アウターシート２２が大腿部の動きを拘束することがない。
【００４８】
物品２０Ｂでは、脚周り用弾性部材３６の伸長応力が０．０１〜１．５０Ｎの範囲にある。弾性部材３６の伸長応力は、弾性部材１本の伸長応力である。弾性部材３６の伸長応力が０．０１Ｎ未満では、着用者の大腿部の締め付けが不十分となり、レッグ開口２７から体液が漏れてしまう場合がある。弾性部材３６の伸長応力が１．５０Ｎを超過すると、脚周り周縁部２９が必要以上に縮み、レッグ開口２７の開口面積が縮小して物品２０Ｂの着用時に着用者の足の指や踵がパンツの脚周り周縁部２９に引っ掛かってしまう場合がある。なお、弾性部材３６の伸長応力の測定方法は、図１のそれと同一である。
【００４９】
この物品２０Ｂは、アウターシート２２の上縁部３９がパンツ２１の胴周り縁部２８に間欠的に固着され、アウターシート２２の中間部４０と下縁部４１とがパンツ２１の前後胴周り域２３，２５の胴周り方向中央部４２に連続的に固着されていてもよい。また、アウターシート２２の上縁部３９がパンツ２１の胴周り周縁部２８に固着されているとともに、アウターシート２２の下縁部４１がパンツの２１前後胴周り域２３，２５の胴周り方向中央部４２に固着されていればよく、アウターシート２２の中間部４０がパンツ２１の前後胴周り域２３，２５の胴周り方向中央部４２に固着されていなくてもよい。物品２０Ｂでは、図１のそれと同様に、補助弾性部材３８が前後胴周り域２３，２５と股下域２４とのうちの少なくとも股下域２４に取り付けられていてもよい。物品２０Ｂに補助弾性部材３８を取り付ける場合は、補助弾性部材３８を裏面シート５３とコア５４との間に介在させ、補助弾性部材３８を縦方向へ所定の倍率に伸長させた状態で裏面シート５３に固着する。物品２０Ｂに補助弾性部材３８を取り付けると、弾性部材３８の収縮力によってパンツ２１の少なくとも股下域２４がウエスト開口２６へ向かって持ち上げられるので、股下域２４を着用者の肌に密着させることができる。
【００５０】
図１のパッド４７や図７のパンツ２１の表面シート４８，５２には、親水性繊維不織布の他に、多数の開孔を有する疎水性繊維不織布、微細な多数の開孔を有するプラスチックフィルムのいずれかを使用することもできる。パッド４７やパンツ２１の裏面シート４９，５３には、疎水性繊維不織布の他に、通気不透液性プラスチックフィルム、２枚以上の疎水性繊維不織布をラミネートした複合不織布、疎水性繊維不織布と通気不透液性プラスチックフィルムとをラミネートした複合シートのいずれかを使用することもできる。裏面シート４９，５３には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。弾性部材３６，４４，４５，４６には、天然ゴムまたは合成ゴムを使用することができる。弾性部材３６，４４，４５，４６は、糸条であるが、糸状の他に、帯状の弾性部材を使用することもできる。
【００５１】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００５２】
図７の物品２０Ｂのアウターシート２２を形成する伸縮性繊維不織布には、メルトブローンやスパンボンドの各製法により製造された不織布を使用することができる。伸縮性繊維不織布の構成繊維には、熱可塑性エラストマー樹脂を溶融、紡糸した伸縮性繊維を使用することができる。伸縮性を有するアウターシート２２には、熱可塑性エラストマー樹脂繊維からなる伸縮性かつ疎水性繊維不織布の少なくとも片面に、ポリプロピレン、ポリエチレン、ポリエステルのいずれかの熱可塑性合成樹脂を溶融、紡糸した捲縮繊維からなる疎水性繊維不織布を重ね合わせた複合不織布を使用することもできる。
【００５３】
パンツ２１とアウターシート２２との固着には、接着剤、または、ヒートシールやソニックシール等の熱による溶着手段を利用することができる。パンツ２１やアウターシート２２に対する弾性部材３６，４４，４５，４６の固着には、接着剤を利用することができる。接着剤には、ホットメルト系接着剤やアクリル系接着剤、ゴム系接着剤を使用することができる。接着剤をパンツ２１やアウターシート２２にスパイラル状、波状、ジグザグ状、ドット状、縞状のうちのいずれかの態様で塗布することで、パンツ２１とアウターシート２２とを間欠的に固着することができ、弾性部材３６，４４，４５，４６をパンツ２１やアウターシート２２に間欠的に固着することができる。接着剤をパンツ２１やアウターシート２２に連続的に塗布することで、パンツ２１とアウターシート２２とを連続的に固着することができ、弾性部材３６，４４，４５，４６をパンツ２１やアウターシート２２に連続的に固着することができる。
【図面の簡単な説明】
【００５４】
【図１】一例として示す着用物品の斜視図。
【図２】図１の物品の部分破断斜視図。
【図３】パンツとアウターシートとを分離して示す図１の物品の分解斜視図。
【図４】図１の４−４線矢視断面図。
【図５】物品の着用手順を示す説明図。
【図６】着用状態で示す図１の物品の斜視図。
【図７】他の一例として示す着用物品の斜視図。
【図８】図７の物品の部分破断斜視図。
【図９】パンツとアウターシートとを分離して示す図７の物品の分解斜視図。
【図１０】図７の１０−１０線矢視断面図。
【図１１】物品の着用手順を示す説明図。
【符号の説明】
【００５５】
２０Ａ    使い捨て着用物品
２０Ｂ    使い捨て着用物品
２１    パンツ
２２    アウターシート
２３    前胴周り域
２４    股下域
２５    後胴周り域
２６    ウエスト開口
２７    レッグ開口
２８    胴周り周縁部
２９    脚周り周縁部
３０    上方開口
３１    下方開口
３２    部分
３４    胴周り部分
３５    股下部分
３６    脚周り用弾性部材
３７    縦方向両端部
３８    補助弾性部材
３９    上縁部
４０    中間部
４１    下縁部
４２    胴周り方向中央部
４３    連結部分
４４    胴周り用弾性部材
４５    胴周り用弾性部材
４６    胴周り用弾性部材
【図１】
2005204744.tif 000003
【図２】
2005204744.tif 000004
【図３】
2005204744.tif 000005
【図４】
2005204744.tif 000006
【図５】
2005204744.tif 000007
【図６】
2005204744.tif 000008
【図７】
2005204744.tif 000009
【図８】
2005204744.tif 000010
【図９】
2005204744.tif 000011
【図１０】
2005204744.tif 000012
【図１１】
2005204744.tif 000013